(57)【特許請求の範囲】
【請求項１】
矩形暗渠又は矩形開渠に利用され、矩形の止水壁本体と、該止水壁本体の両側面に左右移動可能に設けた断面コの字状のスライド補助壁と、前記止水壁本体の下部の左右にそれぞれ一対の移動体用タイヤを着脱自在に装備したことを特徴とする移動用止水壁。
【請求項２】
前記止水壁本体の正面四隅には拡張ジャッキを設置する主ジャッキ設置用鋼材部を設け、前記スライド補助壁の閉鎖側の正面には、主ジャッキ設置用鋼材部に対向する位置に拡張ジャッキを設置する従ジャッキ設置用鋼材部を設けたことを特徴とする請求項１記載の移動用止水壁。
【請求項３】
前記移動用タイヤは、前記止水壁本体を水路に沿って前後に移動できるように、前記止水壁本体の下部の仮排水管の左右に、前記移動用タイヤの車軸部分の両端を支持する支持部材に前記止水壁本体を貫通したボルトで着脱自在に取り付けることを特徴とする請求項１記載の移動用止水壁。
【発明の詳細な説明】
【技術分野】
【０００１】
本発明は、矩形暗渠、矩形開渠の全てに利用できる移動用止水壁に関する。
【背景技術】
【０００２】
従来、地震や災害、事故等で上下水の管路が損傷した場合、損傷した部分の復旧工事や古い管路の取替工事に上下水の流水を止めずに工事を行っている。
常時流水のある開渠型水路又は暗渠型水路でＢＯＸ型、円型、卵型、馬蹄型の水路復旧部分の作業エリアを渇水状態にできる水路開閉装置が知られている（特許文献１を参照）。
この公知技術は、常時流水のある水路の縦壁面部分と縦形状が同じで断面がＬ型形状の２面に止水ゴムを持つ本体固定ジグをジグ固定金物で水路壁面の両側に設置固定し、水路壁面の両側に設置固定された２本の本体固定ジグに、上部と下部に止水ゴムを持つ水路開閉装置を合体用金物で合体することにより、水路の内部は本体固定ジグと水路開閉装置本体により遮蔽され、水路開閉装置の持つ加圧作動開閉耐重圧蓋により大型水路の流水は一時堰き止める、又は流すことができる水路開閉装置である。
【０００３】
そして、復旧しようとする既設水路内部の天井部分に天井走行ホイスト用の天井ホイスト走行ビームを水路開閉装置本体が設置される範囲まで設置し、重量物である本体固定ジグ、水路開閉装置本体及び連結用筒状管の水平移動・組立設置作業用の天井ホイストを前記天井ホイスト走行ビームに取り付け、天井走行ホイストを使用し、重量物である本体固定ジグ、水路開閉装置本体を所定位置まで移動するものである。
【０００４】
このようにして、復旧しようとする既設水路内部の天井部分に天井走行ホイスト用の天井ホイスト走行ビームを水路開閉装置本体が設置される範囲まで設置しなければならないので、準備作業が必要であると共に大掛かりとなるものであり、そのため作業工区への移動が簡単に行える移動用止水壁が望まれていた。
【先行技術文献】
【特許文献】
【０００５】
【特許文献１】特開２００９−７４３３７号公報（図１７）
【発明の概要】
【発明が解決しようとする課題】
【０００６】
本発明は、矩形暗渠、矩形開渠の全てに利用できる、移動用タイヤを着脱自在に装備した移動用止水壁を提供することを目的とする。
【課題を解決するための手段】
【０００７】
本発明の移動用止水壁は、矩形の止水壁本体と、該止水壁本体の両側面に左右移動可能に設けた断面コの字状のスライド補助壁と、前記止水壁本体の下部の左右にそれぞれ一対の移動用タイヤを着脱自在に装備したものである。
前記止水壁本体の正面四隅には拡張ジャッキを設置する主ジャッキ設置用鋼材部を設け、前記スライド補助壁の閉鎖側の正面には、主ジャッキ設置用鋼材部に対向する位置に拡張ジャッキを設置する従ジャッキ設置用鋼材部を設けた。
前記移動用タイヤは、前記止水壁本体を水路に沿って前後に移動できるように、前記止水壁本体の下部の仮排水管の左右に、前記止水壁本体を貫通した車軸部分をボルトで着脱自在に取り付ける。
【発明の効果】
【０００８】
本発明の移動用止水壁は、矩形の止水壁本体と、該止水壁本体の両側面に左右移動可能に設けた断面コの字状のスライド補助壁と、前記止水壁本体の下部の左右にそれぞれ一対の移動用タイヤを着脱自在に装備したため、止水壁本体の移動を移動用タイヤで行うため、作業工区への移動が簡単に行えると共に、全体構造が簡素化され、止水壁本体の利用性が向上させることができる効果がある。
【図面の簡単な説明】
【０００９】
【図１】本発明の移動用止水壁の正面図である。
【図２】本発明の移動用止水壁の平面図である。
【図３】本発明の移動用止水壁に移動用タイヤを装着した状態の正面図である。
【図４】本発明の移動用止水壁に移動用タイヤを装着した状態の右側面図である。
【発明を実施するための形態】
【００１０】
本発明の移動用止水壁の一実施例を添付図面に基づいて、以下に説明する。
図１の正面図、図２の平面図に示すように、本発明の移動用止水壁は、矩形の止水壁本体１と、該止水壁本体１の両側面に左右移動可能に設けた断面コの字状のスライド補助壁２，２と、図３の正面図、図４の右側面図に示すように、前記止水壁本体１の下部の左右にそれぞれ一対の移動用タイヤ３，３を着脱自在に装備したものである。
【００１１】
前記止水壁本体１は、中央下部に円形貫通孔４を形成し、該円形貫通孔４に正面に突出するように短円筒状の仮排水管５を固定する。また、前記止水壁本体１の正面四隅には拡張ジャッキ６を設置する主ジャッキ設置用鋼材部７，７，７，７を設ける。図２に示すように前記主ジャッキ設置用鋼材部７，７，７，７は、左右の向かい合う内側に三角形の補強材８，８，８を固定し、外側が平坦面９である。
【００１２】
前記スライド補助壁２は、水路の側壁断面に一致する断面コの字形状で、開口側を前記止水壁本体１に位置させ、前記止水壁本体１の背面側に位置する内側に止水パッキン１０を設け、前記止水壁本体１の正面側に位置する外側にほぼ等間隔で上下に部材圧着ボルト１１を多数個設ける。
さらに、閉鎖側の正面には、前述の主ジャッキ設置用鋼材部７，７，７，７に対向する位置に拡張ジャッキ６を設置する従ジャッキ設置用鋼材部１２，１２，１２，１２を設ける。
図２に示すように前記従ジャッキ設置用鋼材部１２，１２，１２，１２は、左右の向かい合う外側に三角形の補強材１３，１３，１３を固定し、外側が平坦面１４である。
【００１３】
前記移動用タイヤ３は、前記止水壁本体１を水路に沿って前後に移動できるように、前記止水壁本体１の下部の左右に、図３の正面図に示すように仮排水管５の左右に、前記移動用タイヤ３の車軸部分の両端を支持する支持部材に図４に示す前記止水壁本体１を貫通したボルト１５で着脱自在に取り付ける。
【００１４】
次に、本発明の移動用止水壁の操作動作を添付図面に基づいて、以下に説明する。
移動用タイヤを装着した状態の図３の正面図に示すように、本発明の移動用止水壁を移動する時には、スライド補助壁２，２の部材圧着ボルト１１を緩めて前記スライド補助壁２，２を内側にスライドさせて縮小状態にする。
そして、水路に沿って止水壁本体１を移動させ、移動用タイヤ３を取り外して止水壁本体１を接地し、図１に示すように、拡張ジャッキ６で前記スライド補助壁２，２を外側にスライドさせて前記スライド補助壁２，２を水路側壁に圧着させて部材圧着ボルト１１を締めて止水パッキン１０を前記止水壁本体１に圧着させる。
暗渠であった場合は、そのまま水路躯体天井部より下部圧着ジャッキ１６により支持、反力を取り、開渠であった場合は、水路部材上部に鋼材を開口部底板又は管路壁面にアンカーを用いて仮固定し反力を取るようにする。
【００１５】
工事作業が終了したら、前述と逆の動作を行って移動用タイヤ３を装着し、水路に沿って新たな作業工区へ止水壁本体１を移動させる。
このように、止水壁本体１の移動を移動用タイヤ３で行うため、作業工区への移動が簡単に行えると共に、全体構造が簡素化され、止水壁本体１の利用性が向上する。
【符号の説明】
【００１６】
１  止水壁本体
２  スライド補助壁
３  移動用タイヤ
４  円形貫通孔
５  仮排水管
６  拡張ジャッキ
７  主ジャッキ設置用鋼材部
８  補強材
９  平坦面
１０  止水パッキン
１１  部材圧着ボルト
１２  従ジャッキ設置用鋼材部
１３  補強材
１４  平坦面
１５  ボルト
１６  下部圧着ジャッキ
【図１】
0006448940.tif 000002
【図２】
0006448940.tif 000003
【図３】
0006448940.tif 000004
【図４】
0006448940.tif 000005